(57)【要約】      （修正有）【課題】ダミー電極の配設密度が不均一であるために発生する表示不良を防止した液晶表示パネルを提供する。【解決手段】周辺シール材を介して貼り合わされた第１透明基板と第２透明基板を有し、第１透明基板は表示領域にドットマトリクス表示用のコモン電極１０及び表示領域と周辺シール材間の非表示領域にコモン電極１０に連なる引き廻し配線１１を形成し、第２透明基板には表示領域にセグメント電極２０及び非表示領域にセグメント電極２０に連なる引き廻し配線２１が形成する。両基板の非表示領域内で引き廻し配線１１，２１が形成されない部分にはそれぞれ電極１０，２０とほぼ同厚のダミー電極を所定の配置をもって互いに接することなく多数形成し、更に第２透明基板のダミー電極３０は非表示領域内で細密かつ均一な配設密度となるようにパターン配置する。【選択図】図１
2008089773.tif 000002
【特許請求の範囲】
【請求項１】
周辺シール材を介して互いに貼り合わされる第１透明基板と第２透明基板とを有し、前記第１透明基板は、ドットマトリクス表示用のコモン電極が形成された表示領域、および前記表示領域と前記周辺シール材との間に存在し、前記コモン電極に連なる引き廻し配線が形成された非表示領域を備え、前記第２透明基板は、ドットマトリクス表示用のセグメント電極が形成された表示領域、および前記表示領域と前記周辺シール材との間に存在し、前記セグメント電極に連なる引き廻し配線が形成された非表示領域を備え、前記第１透明基板および第２透明基板の非表示領域における前記引き廻し配線が形成されていない部分にはそれぞれ前記各電極とほぼ同厚のダミー電極が、所定の配置をもって互いに接することなく多数形成された液晶表示パネルにおいて、前記第２透明基板のダミー電極は、第１透明基板に形成されたコモン電極に連なる引き廻し配線と対向する非表示領域に、細密でかつ均一な配設密度となるようにパターン配置されていることを特徴とする液晶表示パネル。
【請求項２】
前記第２透明基板のダミー電極は、その１個単位の基本形状を、細密配置可能な多角形とされている請求項１に記載の液晶表示パネル。
【請求項３】
複数本以上のコモン電極の引き廻し配線と対向する１個単位の前記第２透明基板のダミー電極は、前記コモン電極の引き廻し配線に沿って延在し、前記コモン電極の引き廻し配線と対向するように形成された分割ラインによって、それぞれ点灯可能な駆動電圧の電荷を保有しないように分割形成されている請求項２に記載の液晶表示パネル。
【請求項４】
前記第２透明基板のダミー電極は、角部尖端に丸みが付けられている請求項２または請求項３に記載の液晶表示パネル。
【発明の詳細な説明】
【技術分野】
【０００１】
本発明は、パネル面内のギャップが均一化された液晶表示パネルに関する。
【背景技術】
【０００２】
液晶表示パネルを設計するうえで重要な事項のひとつとして面内のギャップ制御がある。すなわち、液晶表示パネルは一対の透明基板を周辺シール材を介して圧着し、その周辺シール材により囲まれたパネル面内に、例えばＴＮ液晶を封入することにより作製されるが、パネル面内のギャップが均一でないと部分的に液晶のリターデーションΔｎ×ｄ（Δｎ；液晶の屈折率異方性，ｄ；液晶の厚み）が変化して表示に色違いなどの悪影響がでていた（表示不良）。
【０００３】
ドットマトリクス表示の場合、パネル面内には、表示電極としてのセグメント電極とコモン電極とが直交状に配線された表示領域と、その表示電極の引き廻し配線を形成するための表示に寄与しない非表示領域とが含まれている。通常、非表示領域は表示領域の周りに配置されるが、ギャップ制御は表示領域のみでなく非表示領域も含めて行われる。その一例を図３により説明する。
【０００４】
図３は表示領域Ａと非表示領域Ｂとの境界部分を拡大して示す模式図である。図中には、視認面側に配置された透明基板（以下、Ｆ側透明基板という）に形成されているパターンを実線で示し、裏面側（反視認面側）に配置された透明基板（以下、Ｒ側透明基板という）に形成されているパターンを鎖線で示している。
【０００５】
図３に示す液晶表示パネルは、表示領域Ａ内において、Ｆ側透明基板にはコモン電極１０がＸ軸方向（水平方向）に沿って配線されており、Ｒ側透明基板にはセグメント電極２０がＹ軸方向（垂直方向）に沿って配線されている。Ｆ側透明基板の非表示領域Ｂにはコモン電極１０の引き廻し配線１１が形成され、また、Ｒ側透明基板の非表示領域Ｂにはセグメント電極２０の引き廻し配線２１が形成されている。コモン電極１０とセグメント電極２０の交点部分が画素Ｐとなる。
【０００６】
非表示領域Ｂに形成された引き廻し配線１１，２１はコモン電極１０やセグメント電極２０と同じくＩＴＯ（Ｉｎｄｉｕｍ Ｔｉｎ Ｏｘｉｄｅ）材により形成されるが、引き廻し配線１１，２１は非表示領域Ｂの全範囲にわたって形成されることはほとんどない。
【０００７】
表示領域Ａ内にはその全範囲にコモン電極１０とセグメント電極２０が対向する画素Ｐが規則的に配置されているのに対して、非表示領域Ｂには一方の透明基板側のみに引き廻し配線１１（２１）が形成された部分や、両透明基板ともに引き廻し配線が形成されていない部分（以下、これらの部分を無配線部分という）が存在すると、パネル面内のギャップが均一でなくなる。そこで、従来より、非表示領域Ｂにおける無配線部分にＩＴＯ材からなるダミー電極３０を形成して、表示領域Ａと非表示領域Ｂの全体をとおしてギャップの均一化を図っていた。
【０００８】
しかしながら、ＩＴＯ材の低抵抗化のため、ＩＴＯ材の膜厚が厚くなるにつれ、ギャップの不均一を原因とする表示不良よりも、ダミー電極３０のＩＴＯ材の配設密度が不均一であることを原因とする表示不良の方が問題となってきた。
【０００９】
すなわち、非表示領域Ｂにおける引き廻し配線１１，２１のパターンは、短絡を回避できる程度の間隙を以て隣接させて形成されている。そのため、図３中に一点鎖線で囲んだ領域（配設密度：密）と、二点鎖線で囲んだ領域（配設密度：疎）とを比較した場合においても明らかなように、ファインな引き廻しパターンであればあるほど、ダミー電極３０のＩＴＯ材の配設密度は疎となる。
【００１０】
そして、ダミー電極３０のＩＴＯ材の配設密度が疎の状態の部分では、引き廻し配線が陰影となって視認され、特に、表示領域や非表示領域の一部のようなＩＴＯ材が細密に形成されている部分と比較した場合に、目立ってしまうといった表示不良が発生していた。この表示不良は、特に、液晶表示パネルがネガ表示仕様の場合に顕著であった。
【００１１】
【特許文献１】特願２００５−１６４７３３号公報
【発明の開示】
【発明が解決しようとする課題】
【００１２】
そこで、本発明は、非表示領域に（ＩＴＯ材からなる）ギャップ制御用のダミー電極を有する液晶表示パネルにおいて、液晶表示パネルのダミー電極の配設密度が不均一であることを原因とする表示不良の発生を防止することを目的とする。
【課題を解決するための手段】
【００１３】
前記課題を解決するため、本発明の液晶表示パネルは、周辺シール材を介して互いに貼り合わされる第１透明基板と第２透明基板とを有し、前記第１透明基板は、ドットマトリクス表示用のコモン電極が形成された表示領域、および前記表示領域と前記周辺シール材との間に存在し、前記コモン電極に連なる引き廻し配線が形成された非表示領域を備え、前記第２透明基板は、ドットマトリクス表示用のセグメント電極が形成された表示領域、および前記表示領域と前記周辺シール材との間に存在し、前記セグメント電極に連なる引き廻し配線が形成された非表示領域を備え、前記第１透明基板および第２透明基板の非表示領域における前記引き廻し配線が形成されていない部分にはそれぞれ前記各電極とほぼ同厚のダミー電極が、所定の配置をもって互いに接することなく多数形成された液晶表示パネルにおいて、前記第２透明基板のダミー電極は、第１透明基板に形成されたコモン電極に連なる引き廻し配線と対向する非表示領域に、細密でかつ均一な配設密度となるようにパターン配置されていることを特徴としている。
【００１４】
このように、コモン電極の引き廻し配線に対向する非表示領域に形成された第２透明基板のダミー電極を、その配設密度が細密でかつ均一となるように形成することにより、該液晶表示パネルの非表示領域においてコモン電極の引き廻し配線の陰影が目立って視認される不具合を解消することができる。
【００１５】
また、前記第２透明基板のダミー電極は、その１個単位の基本形状を、細密配置可能な多角形とされていることを特徴とする。
【００１６】
このように、前記第２透明基板のダミー電極の１個単位の基本形状を、例えば、六角形、菱形、三角形などの細密配置可能な多角形とすることにより、液晶表示パネルの表示領域に細密に配置された画素と同様に、前記第２透明基板のダミー電極を細密でかつ均一な配設密度で配置させることを容易に実現できる。また、そのように前記第２透明基板のダミー電極を細密に配置するようにすれば、隣位するダミー電極間の間隙を抜ける光を最小とすることができる。
【００１７】
さらに、複数本以上のコモン電極の引き廻し配線と対向する１個単位の前記第２透明基板のダミー電極は、前記コモン電極の引き廻し配線に沿って延在し、前記コモン電極の引き廻し配線と対向するように形成された分割ラインによって、それぞれ点灯可能な駆動電圧の電荷を保有しないように分割形成されていることを特徴とする。
【００１８】
このように、基本形状とされた１個単位の第２透明基板のダミー電極を分割形成することで、非表示領域において点灯が生じることを回避することができる。このことは、非表示領域に遮光膜（ブラックマスク）が形成されない構成を有する液晶表示パネルにおいて特に有効である。
【００１９】
そして、前記第２透明基板のダミー電極は、角部尖端に丸みが付けられていることを特徴とする。
【００２０】
このように、前記ダミー電極の鋭角な角部尖端に丸みを付けることにより、液晶表示パネル製造工程におけるラビング処理などにより帯電された電荷が局部的に集中することがなくなるので、隣接する電極との間で放電が生じることを防止することができる。
【発明の効果】
【００２１】
本発明によれば、液晶表示パネルのダミー電極の配設密度が不均一であることを原因とする表示不良の発生を防止するとともに、非表示領域における光抜けや点灯等の不具合を回避することができる等の優れた効果を奏する。
【発明を実施するための最良の形態】
【００２２】
次に、図１および図２により、本発明の実施形態について説明するが、本発明はこれに限定されるものではない。
【００２３】
図１は先に説明した図３と同様の、表示領域Ａと非表示領域Ｂとの境界部分を拡大して示す模式図である。図中には、視認面側に配置されたＦ側透明基板に形成されているパターンを実線で示し、裏面側（反視認面側）に配置されたＲ側透明基板に形成されているパターンを鎖線で示している。なお、上記従来例と同一もしくは同一と見なされる部分には同じ参照符号を用いる。
【００２４】
本発明による液晶表示パネルの表示形態はドットマトリクス表示であり、表示領域Ａ内において、第１透明基板としてのＦ側透明基板にはコモン電極１０がＸ軸方向（水平方向）に沿って配線されており、第２透明基板としてのＲ側透明基板にはセグメント電極２０がＹ軸方向（垂直方向）に沿って配線されている。
【００２５】
Ｆ側透明基板の非表示領域Ｂにはコモン電極１０の引き廻し配線（以下、コモン引き廻し配線という）１１が形成され、また、Ｒ側透明基板の非表示領域Ｂにはセグメント電極２０の引き廻し配線２１が形成されている。そして、表示領域Ａにおけるコモン電極１０とセグメント電極２０の交点部分が画素Ｐとされている。
【００２６】
本実施形態の液晶表示パネルにおいても、非表示領域Ｂに形成される引き廻し配線１１，２１はコモン電極１０，セグメント電極２０と同じくＩＴＯ（Ｉｎｄｉｕｍ Ｔｉｎ Ｏｘｉｄｅ）材により形成され、非表示領域Ｂの引き廻し配線が形成されていない無配線部分には、表示領域Ａ内のギャップとの均一化を図るため、ＩＴＯ材よりなるダミー電極３０が形成されている。
【００２７】
そして、本実施形態において、前記Ｒ側透明基板に形成されたダミー電極３０は、その１個単位の基本形状を、細密配置が容易な多角形の一つである、六角形（ハニカム形状）に形成されており、Ｆ側透明基板に形成されたコモン引き廻し配線１１と対向する非表示領域Ｂの略全面に、表示領域Ａに形成された前記画素Pを構成するコモン電極１０およびセグメント電極２０のＩＴＯ材の配設密度と略同一に、細密で、かつ、均一な配設密度となるようにパターン配置されている。
【００２８】
すなわち、本実施形態の液晶表示パネルにおいては、従来例と同様に図１中に一点鎖線で囲んだ領域と、二点鎖線で囲んだ領域とを比較した場合においても明らかなように、非表示領域Ｂに配設されたＩＴＯ材からなるダミー電極３０の配設密度が均一であり、しかも、表示領域Ａにおける画素Ｐが細密に配置されるのと同様に、細密配置されている。
【００２９】
このように、Ｒ側透明基板のダミー電極３０を、その配設密度が細密でかつ均一となるように形成することにより、該液晶表示パネルの非表示領域Ｂにおいてコモン引き廻し配線１１の陰影が目立って視認される不具合を解消することができる。また、そのようにＲ側透明基板のダミー電極３０を細密に配置するようにすれば、隣位するダミー電極３０，３０間の間隙を抜ける光を最小とすることができる。そして、前記Ｒ側透明基板のダミー電極３０を多角形とすることで、細密配置を容易に実現できる。
【００３０】
そして、本実施形態においては、複数本以上のコモン引き廻し配線１１と対向する１個単位の前記Ｒ側透明基板のダミー電極３０は、前記コモン引き廻し配線１１に沿って延在し、前記コモン引き廻し配線１１と対向するように形成された分割ライン３１によって、それぞれ点灯可能な駆動電圧の電荷を保有しないように分割形成されている。
【００３１】
具体的に説明すると、図１に網掛けで示すダミー電極３０部分を抜き出して図２（ａ）（ｂ）に示すように、本実施形態においては、４本以上のコモン引き廻し配線１１と対向する１個単位の前記Ｒ側透明基板のダミー電極３０を、前記分割ライン３１により、３本以上のコモン引き廻し配線１１と対向しないように２分割し、非表示領域Ｂにおいて点灯が生じることを回避する構成とされている。
【００３２】
なお、前記Ｒ側透明基板のダミー電極３０は、角部尖端に曲率１０μｍ程度の丸みを付けることが望ましい。特に、鋭角な角部尖端に丸みを付けることにより、液晶表示パネル製造工程におけるラビング処理などにより帯電された電荷が局部的に集中することがなくなるので、隣接する電極との間で放電が生じることを防止することができる。よって、この放電により配向膜が破壊され、表示性能に少なからぬ悪影響が生じることを防止することができる。
【００３３】
本発明は、前述した実施の形態に限定されるものではなく、必要に応じて種々の変更が可能である。例えば、前記Ｒ側透明基板のダミー電極の１個単位の基本形状は六角形（ハニカム形状）に限定されるものではなく、三角形、正方形、菱形などの細密配置可能な多角形としてもよいし、その配置も細密配置が可能であれば、マトリクス状、千鳥状等、各種の配置が可能である。
【図面の簡単な説明】
【００３４】
【図１】本発明の実施形態の液晶表示パネルにおける要部概略説明図
【図２】（ａ）はダミー電極の分割例を説明する概略説明図、（ｂ）は（ａ）の矢示断面図
【図３】従来の一般的な液晶表示パネルにおける要部概略説明図
【符号の説明】
【００３５】
１０  コモン電極
１１  コモン電極の引き廻し配線
２０  セグメント電極
２１  セグメント電極の引き廻し配線
３０  （コモン電極の引き廻し配線に対向配置された）ダミー電極
３１  （ダミー電極の）分割ライン
Ｐ  画素
【図１】
2008089773.tif 000003
【図２】
2008089773.tif 000004
【図３】
2008089773.tif 000005